(57)【特許請求の範囲】
【請求項１】
プリズム取付鏡筒に取り付けられると共に入射面から入射する光を反射面で光路を９０°折り曲げて反射させて出射面から出射させる断面が直角二等辺三角形状のプリズムを介して被写体を撮影するタイプのカメラにおけるプリズム取付鏡筒のプリズム取付構造であって、
上記プリズム取付鏡筒には矩形の主壁と、該主壁に直交し互いに対向している略直角二等辺三角形状の側壁と、光が入射する方向にはレンズ取付部が一体に設けられると共に、光が出射する方向にはプリズム取付鏡筒内にプリズムを挿入するための挿入口と、上記主壁の上記挿入口と反対側の端部の内面には側方に延び、かつ、挿入口側に開口する断面が略コ字状をした受凹部が形成され、また、上記プリズム取付鏡筒の内面側にはプリズムが当接される受面が形成され、
上記挿入口から挿入したプリズムのうち反射面と入射面とが交わる角部の入射面の部分が上記受凹部内壁のレンズ取付部側の面に当接し係合されると共に、上記反射面が上記受面に当接され、出射面が弾性部材によりプリズムの挿入方向から押えられ、その弾発力により上記角部の受凹部への係合及び上記反射面の受面への当接が維持されてプリズムがプリズム取付鏡筒に取り付けられるようにした
ことを特徴とするプリズム取付鏡筒のプリズム取付構造。
【請求項２】
上記レンズ取付部に前面レンズが内嵌状に取着されると共に、該レンズ取付部内面と上記受凹部内壁のレンズ取付部側の面とが連続し、該レンズ取付部内面と上記主壁の為す角度が４５°より僅かに大きくなるように形成された
ことを特徴とする請求項１に記載のプリズム取付鏡筒のプリズム取付構造。
【請求項３】
上記プリズムの出射面の４隅が上記弾発部材により押えられ、上記弾性部材は１枚の板ばねであって、その中央部に透過孔を有し、その４隅の面をその余の面よりプリズム側に位置するように折り曲げてプリズムを押える押え面とした
ことを特徴とする請求項１に記載のプリズム取付鏡筒のプリズム取付構造。
【発明の詳細な説明】
【０００１】
【発明の属する技術分野】
本発明はプリズム取付鏡筒のプリズム取付構造に関する。詳しくは、プリズム取付鏡筒へのプリズムの取付位置精度を高めると共にかかる精度を長期間維持し、また、プリズム取付鏡筒へのプリズムの取付作業におけるコストを低減する技術に関する。
【０００２】
【従来の技術】
液晶表示部や操作部等を有するメカデッキの側部にレンズ鏡筒が一体的に設けられ、該レンズ鏡筒がズーミングレンズやフォーカシングレンズを有するレンズ主鏡筒と内部にプリズムが取り付けられたプリズム取付鏡筒とから成り、プリズムにより光路を９０°折り曲げて被写体を撮影するタイプのビデオカメラがある。
【０００３】
このようなビデオカメラにあっては、プリズム取付鏡筒へのプリズムの取付を、従来は、両者を紫外線硬化樹脂を用いて接着することにより行っていた。
【０００４】
【発明が解決しようとする課題】
ところが、上記した従来の取付方法にあっては、非常に高価な紫外線照射機が必要であることから、その分、接着工程におけるコスト高を招いていることや、紫外線照射機の照射時間等によって接着剤が完全に硬化していないことがあり、この場合には、ビデオカメラの落下等による衝撃によりプリズムがプリズム取付鏡筒から外れてしまうといった問題点がある。
【０００５】
また、プリズム取付鏡筒の材料としては、一般に、耐熱性や耐磨耗性に優れたポリカーボネイト（以下、「ＰＣ材」という。）が用いられているが、ＰＣ材の耐薬品性の悪さから紫外線照射機による照射時間が長いと所謂マイクロクラックが生じてしまうといった問題点もある。
【０００６】
そこで、プリズム取付鏡筒の材料としてＰＣ材を用いない方法、例えば、長期間の形状変化を生じにくいダイキャストや他の剛性の高いプラスチック材を用いることが考えられるが、これらの材料は高価でありビデオカメラの製造コストの上昇をもたらしてしまうことになる。
【０００７】
本発明プリズム取付鏡筒のプリズム取付構造は、上記した問題点を克服し、プリズム取付鏡筒へのプリズムの取付位置精度を高めると共にかかる精度を長期間維持し、また、プリズム取付鏡筒へのプリズムの取付作業におけるコストを低減することを課題とする。
【０００８】
【課題を解決するための手段】
本発明プリズム取付鏡筒のプリズム取付構造は、上記した課題を解決するために、プリズム取付鏡筒に取り付けられると共に入射面から入射する光を反射面で光路を９０°折り曲げて反射させて出射面から出射させる断面が直角二等辺三角形状のプリズムを介して被写体を撮影するタイプのカメラにおけるプリズム取付鏡筒のプリズム取付構造であって、上記プリズム取付鏡筒には矩形の主壁と、該主壁に直交し互いに対向している略直角二等辺三角形状の側壁と、光が入射する方向にはレンズ取付部が一体に設けられると共に、光が出射する方向にはプリズム取付鏡筒内にプリズムを挿入するための挿入口と、上記主壁の上記挿入口と反対側の端部の内面には側方に延び、かつ、挿入口側に開口する断面が略コ字状をした受凹部が形成され、また、上記プリズム取付鏡筒の内面側にはプリズムが当接される受面が形成され、上記挿入口から挿入したプリズムのうち反射面と入射面とが交わる角部の入射面の部分が上記受凹部内壁のレンズ取付部側の面に当接し係合されると共に、上記反射面が上記受面に当接され、出射面が弾性部材によりプリズムの挿入方向から押えられ、その弾発力により上記角部の受凹部への係合及び上記反射面の受面への当接が維持されてプリズムがプリズム取付鏡筒に取り付けられるようにしたものである。
【０００９】
従って、本発明プリズム取付鏡筒のプリズム取付構造によれば、プリズム取付鏡筒内でのプリズムのがたつきを防止することが可能であり、また、プリズム取付鏡筒へのプリズムの取付を接着剤を用いずに行うため、ビデオカメラの落下等の衝撃による接着剤の剥がれや、接着剤の未硬化によるプリズム取付鏡筒からのプリズムの外れを生じる虞がない。
【００１０】
【発明の実施の形態】
以下に、本発明プリズム取付鏡筒のプリズム取付構造の実施の形態を添付図面に示した実施の一例に従って説明する。
【００１１】
尚、図示した実施例は、本発明をビデオカメラにおけるプリズム取付鏡筒のプリズム取付構造に適用したものであり、かかるビデオカメラはプリズムにより光路を９０°折り曲げて被写体を撮影するタイプのものである。
【００１２】
また、以下の説明においては、図１における上方へ向かう方向を上方、下方へ向かう方向を下方とし、左方へ向かう方向を前方、右方へ向かう方向を後方とし、紙面の奥へ向かう方向を右方、紙面の手前へ向かう方向を左方として説明をする。
【００１３】
液晶表示部や操作部等を有する図示しないメカデッキの側部にレンズ鏡筒１が一体的に設けられている。
【００１４】
レンズ鏡筒１は図示しないズーミングレンズやフォーカシングレンズを内部に有する上下方向に長いレンズ主鏡筒２と内部に後述するプリズムが取り付けられるプリズム取付鏡筒３とから成る（図１参照）。
【００１５】
プリズム取付鏡筒３はガラス繊維を含むポリカーボネイトにより形成され、フード状を為すプリズム取付部４と軸方向に短い略円筒状を為すレンズ取付部５とが一体に形成されて成り、プリズム取付鏡筒３はプリズム取付部４が上記レンズ主鏡筒２の上側に位置された状態で該レンズ主鏡筒２に取り付けられている。
【００１６】
プリズム取付部４は矩形の主壁４ａと該主壁４ａに直交する略直角二等辺三角形状の側壁４ｂ、４ｂとから成り、主壁４ａの外面が上斜め後方を向き、側壁４ｂ、４ｂの内面が左右で対向するようにされている。そして、主壁４ａの左右の側縁と側壁４ｂ、４ｂの斜縁とが連続されている。これにより、プリズム取付部４は前方及び下方に開口され、この前方の開口を完全に覆うようにしてレンズ取付部５が一体に設けられ、また、下方の開口はプリズムがプリズム取付部４内に取り付けられるときの挿入口４ｃとされる。そして、レンズ取付部５の前端部には前面レンズ６が内嵌状に取着されている。
【００１７】
尚、主壁４ａとレンズ取付部５の為す角度は４５°より僅かに大きくなるようにされている（図２に示すα分だけ４５°より大きくされている。）が、これはプリズム取付鏡筒３の金型による成形時に金型を抜き易くするためのものである。
【００１８】
主壁４ａの外面には左右方向に延びる補強リブ７、７が形成されている（図２参照）。該補強リブ７、７により主壁４ａの剛性が高まるため、主壁４ａを薄肉に形成することが可能となっている。
【００１９】
主壁４ａの上下両端部は稍厚肉に形成され、上端部の内面には側方に延び、かつ、下方に開口する受凹部８が形成されている。該受凹部８は、図２に拡大して示すように、上面の縁部８ａ、８ａ、・・・が所謂Ｒ加工されている。これにより、後述するプリズムの受凹部８への係合時における縁部８ａ、８ａ、・・・への応力の集中を防止し、該応力の集中によるプリズム取付鏡筒３の変形やひび割れが生じ難いようにしている。
【００２０】
主壁４ａの内面のうち受凹部８から下方に連続する部分のうち下端部を除く部分は、プリズムがプリズム取付鏡筒３内に取り付けられたときにプリズムと当接する受面９として平面に形成されている。
【００２１】
プリズム取付部４の下縁からはその一部を除き外方に突出する取付突部１０、１０、１０が設けられている（図３参照）。
【００２２】
左右に位置する取付突部１０、１０の前後方向における略中央の位置に、下方及び内方に開口する取付凹部１１、１１が形成され、該取付凹部１１、１１の上面にはタッピングネジ穴１２、１２が形成されている（図４参照）。また、左右に位置する取付突部１０、１０にはそれぞれその下面に開口する位置決め穴１３、１３が形成されている（図３参照）。さらに、取付突部１０、１０、１０にはそれぞれその下面に開口し２つづつ並んで位置する取付穴１４、１４、・・・が形成されている（図３参照）。尚、各取付突部１０に形成された取付穴１４、１４のうち一方のものは後述するコンバータレンズ取付部材を取り付けるためのもので有底であり、他方のものはプリズム取付鏡筒３をレンズ主鏡筒２に取り付けるためのもので取付突部１０を上下に貫通している。
【００２３】
プリズム１５は直角プリズムであり、斜面、即ち、反射面１６が上斜め後方を向き、入射面１７が前方を向き、出射面１８が下方を向いている（図１及び図２参照）。そして、出射面１８の左右方向の幅は上記挿入口４ｃのそれよりも僅かに小さく形成され、前後方向の幅は挿入口４ｃのそれよりも稍小さく形成されている。
【００２４】
尚、プリズム１５は上記挿入口４ｃからプリズム取付部４内に挿入され、そして、反射面１６と入射面１７が交わる角部１９の前面がプリズム取付鏡筒３の上記受凹部８の後方を向く面と係合し、反射面１６が上記受面９に当接された状態で位置される。
【００２５】
板ばね２０は板ばね材料により形成され、略矩形の枠状をした主部２１と該主部２１の左右両側縁の前後方向における中央部から外方に突出した取付片２２、２２とが一体に形成されて成る。
【００２６】
主部２１の外形状は上記プリズム１５の出射面１８のそれと同じにされており、その中央部に大きな透過孔２１ａが形成されている（図３参照）。そして、主部２１の４隅はその余の面より稍上方に位置するように折り曲げられ（図４及び図５参照）、該折り曲げられた平面で見て三角形状を為す４つの部分の上面２３、２３、・・・はプリズム１５がプリズム取付鏡筒３に取り付けられるときにプリズム１５を下方から押える押え面とされる。また、取付片２２、２２には挿通孔２２ａ、２２ａが形成されている。
【００２７】
尚、板ばね２０は所謂打ち抜き加工により成形されるようになっているが、該打ち抜き加工によって生じるバリが板ばね２０の下縁に生じるように該板ばね２０を成形している。従って、プリズム１５を下方から押える板ばね２０に生じたバリがプリズム１５に接することがなく、プリズム１５が傷付いてしまうようなことがない。
【００２８】
コンバータレンズ取付部材２４は板状の取付部２５と該取付部２５の中央に設けられたレンズ保持部２６とから成る。
【００２９】
取付部２５は外形状がプリズム取付鏡筒３の上記プリズム取付部４の下面のそれに対応した形状及び大きさを為し、その外縁寄りの位置には位置決めピン２７、２７が上方に向けて突設され、該位置決めピン２７、２７は上記プリズム取付鏡筒３の左右の取付突部１０、１０に形成された位置決め穴１３、１３に対応する位置に設けられている。取付部２５の外縁寄りの位置には、また、挿通孔２８、２８、・・・が形成され、これら挿通孔２８、２８、・・・は上記プリズム取付部４の取付突部１０、１０、１０に形成された取付穴１４、１４、・・・に対応する位置に形成されている。
【００３０】
レンズ保持部２６は取付部２５を上下に貫通する軸方向に短い円筒状を為し、取付部２５の上方に稍突出した状態で設けられている。そして、レンズ保持部２６にはコンバータレンズ２９が内嵌状に取着されている。
【００３１】
プリズム１５のプリズム取付鏡筒３への取付は以下のようにして為される。
【００３２】
予めレンズ取付部５に前面レンズ６が取着されたプリズム取付鏡筒３の挿入口４ｃからプリズム取付部４内にプリズム１５を挿入する。このとき、プリズム１５は反射面１６が主壁４ａの内面に形成された受面９に対向するようにして挿入していく。
【００３３】
そして、プリズム１５の角部１９を受凹部８に係合させると共に受面９に反射面１６を当接させる。
【００３４】
この状態で板ばね２０をその押え面２３、２３、・・・がプリズム１５の出射面１８に対向する向きで挿入口４ｃから挿入する。このとき、同時に、板ばね２０の取付片２２、２２をプリズム取付部４の下端部に設けられた取付突部１０、１０に形成された取付凹部１１、１１に挿入する。これにより、板ばね２０の押え面２３、２３、・・・がプリズム１５の出射面１８の４隅と当接される。
【００３５】
それから、板ばね２０の取付片２２、２２に形成された挿通孔２２ａ、２２ａにタッピングネジ３０、３０を挿通し、該タッピングネジ３０、３０をタッピングネジ穴１２、１２にねじ込むことにより板ばね２０をプリズム取付部４に取り付ける。これにより、プリズム１５のプリズム取付鏡筒３への取付が完了する。
【００３６】
プリズム１５がプリズム取付鏡筒３ヘ取り付けられた状態においては、板ばね２０の押え面２３、２３、・・・がプリズム１５の出射面１８の４隅を下方から押えることになる。従って、プリズム１５が安定した状態で押えられ、プリズム１５のプリズム取付鏡筒３内でのがたつきの発生を防止することが可能である。
【００３７】
尚、コンバータレンズ取付部材２４のプリズム取付鏡筒３への取付は、コンバータレンズ取付部材２４の位置決めピン２７、２７をプリズム取付部４の取付突部１０、１０に形成された位置決め穴１３、１３に嵌合して位置決めを行い、それから図示しないタッピングネジを挿通孔２８、２８、２８に下方から挿通し、上記した取付穴１４、１４、・・・のうちコンバータレンズ取付部材２４取付用の取付穴１４、１４、１４にねじ込むことにより為される。
【００３８】
また、プリズム取付鏡筒３のレンズ主鏡筒２への取付は、プリズム取付鏡筒３とレンズ主鏡筒２の位置決めを行った後、図示しないタッピングネジを上記した取付穴１４、１４、・・・のうちプリズム取付鏡筒３取付用の取付穴１４、１４、１４及びコンバータレンズ取付部材２４の挿通孔２８、２８、２８に上方から挿通し、レンズ主鏡筒２の上端部に形成された図示しないネジ穴にねじ込むことにより為される。
【００３９】
本発明プリズム取付鏡筒のプリズム取付構造にあっては、プリズム１５がプリズム取付鏡筒３ヘ取り付けられた状態において、板ばね２０はその押え面２３、２３、・・・がプリズム１５の出射面１８に弾接した状態でプリズム１５を下方から押えることになる。
【００４０】
また、プリズム取付鏡筒３へのプリズム１５の取付を、従来の方法のように接着剤を用いては行わないため、ビデオカメラの落下等の衝撃による接着剤の剥がれや、接着剤の未硬化によるプリズム取付鏡筒からのプリズムの外れを生じる虞がない。
【００４１】
従って、プリズム１５がプリズム取付鏡筒３内でがたついてしまうようなことがなく、プリズム取付鏡筒へのプリズムの取付位置精度が高まると共にかかる精度を長期間維持することが可能である。
【００４２】
また、従来の紫外線硬化樹脂接着剤を用いる方法のように、非常に高価な紫外線照射機を必要とせず、板ばね２０でプリズム１５を一方向から押え該板ばね２０をプリズム取付鏡筒３に取り付けることによりプリズム１５をプリズム取付鏡筒３に取り付ければよく、従来の方法に比しプリズム取付鏡筒３へのプリズム１５の取付作業におけるコストを低減することができる。
【００４３】
尚、上記した実施例は、プリズムにより光路を９０°折り曲げて被写体を撮影するタイプのビデオカメラに適用したが、これに限らず、プリズムにより光路を９０°折り曲げて被写体を撮影するタイプの他の種類のカメラに用いるようにしてもよい。
【００４４】
【発明の効果】
以上に記載したところから明らかなように、本発明プリズム取付鏡筒のプリズム取付構造は、プリズム取付鏡筒に取り付けられると共に入射面から入射する光を反射面で光路を９０°折り曲げて反射させて出射面から出射させる断面が直角二等辺三角形状のプリズムを介して被写体を撮影するタイプのカメラにおけるプリズム取付鏡筒のプリズム取付構造であって、上記プリズム取付鏡筒には矩形の主壁と、該主壁に直交し互いに対向している略直角二等辺三角形状の側壁と、光が入射する方向にはレンズ取付部が一体に設けられると共に、光が出射する方向にはプリズム取付鏡筒内にプリズムを挿入するための挿入口と、上記主壁の上記挿入口と反対側の端部の内面には側方に延び、かつ、挿入口側に開口する断面が略コ字状をした受凹部が形成され、また、上記プリズム取付鏡筒の内面側にはプリズムが当接される受面が形成され、上記挿入口から挿入したプリズムのうち反射面と入射面とが交わる角部の入射面の部分が上記受凹部内壁のレンズ取付部側の面に当接し係合されると共に、上記反射面が上記受面に当接され、出射面が弾性部材によりプリズムの挿入方向から押えられ、その弾発力により上記角部の受凹部への係合及び上記反射面の受面への当接が維持されてプリズムがプリズム取付鏡筒に取り付けられるようにしているため、プリズムがプリズム取付鏡筒内でがたついてしまうようなことがなく、プリズム取付鏡筒へのプリズムの取付位置精度が高まると共にかかる精度を長期間維持することが可能である。
【００４５】
また、従来の紫外線硬化樹脂接着剤を用いる方法のように、非常に高価な紫外線照射機を必要としないため、従来の方法に比しプリズム取付鏡筒へのプリズムの取付作業におけるコストを低減することができる。
【００４６】
尚、上記実施例において示した具体的な形状乃至構造は、本発明を実施するに当たっての具体化のほんの一例を示したものに過ぎず、これらによって本発明の技術的範囲が限定的に解釈されることがあってはならないものである。
【図面の簡単な説明】
【図１】図２乃至図６と共に本発明プリズム取付鏡筒のプリズム取付構造の実施の一例を示すものであり、本図はレンズ鏡筒を示す一部切欠側面図である。
【図２】プリズムが取り付けられた状態でプリズム取付鏡筒を示す拡大縦断面図である。
【図３】プリズムが取り付けられた状態でプリズム取付鏡筒を示す底面図である。
【図４】図３のＩＶ−ＩＶ線に沿う拡大断面図である。
【図５】板ばねの拡大側面図である。
【図６】コンバータレンズ取付部材と該コンバータレンズ取付部材に取り付けられたコンバータレンズを示す平面図である。
【符号の説明】
３…プリズム取付鏡筒、４ａ…主壁、４ｂ…側壁、４ｃ…挿入口、５…レンズ取付部、６…前面レンズ、８…受凹部、９…受面、１５…プリズム、１６…反射面、１７…入射面、１８…出射面、１９…角部、２０…弾性部材、２０…板ばね、２３…押え面
【図１】
0003603481.tif 000002
【図２】
0003603481.tif 000003
【図３】
0003603481.tif 000004
【図４】
0003603481.tif 000005
【図５】
0003603481.tif 000006
【図６】
0003603481.tif 000007